【手続補正書】
【提出日】平成16年11月12日(2004.11.12)
【手続補正１】
【補正対象書類名】特許請求の範囲
【補正対象項目名】全文
【補正方法】変更
【補正の内容】
【特許請求の範囲】
【請求項１】
ネットワーク接続のためのデータ転送マージンを判定するための方法であって、送信器（１０）と受信器（１１）の間の判定対象のネットワーク接続（１２）の物理的距離（１３）が判っており、
あり得るモデムのタイプ（１０１、１０２、１０３、１０４）に関する転送周波数に応じて、電力測定装置（２０）によって電力スペクトルが測定され、計算ユニット（３０）のデータ・キャリア上に伝送されること、
計算ユニット（３０）でもってネットワーク接続（１２）の様々な物理的長さ（１３）およびケーブル・ワイヤの厚さ（１４１、１４２、１４３、１４４）について減衰度が判定され、該減衰度ならびに該電力スペクトルに基づいて受信器（１１）での実際の信号強度が、計算ユニット（３０）のデータ・キャリア上の第１のリスト内で記憶され、それぞれの物理的長さ（１３）とケーブル・ワイヤ厚さ（１４１、１４２、１４３、１４４）に割り当てられること、
第２のリスト内でノイズ・レベル（４０）が記憶され、計算ユニットのデータ・キャリア上でネットワーク接続（１２）のそれぞれの物理的長さ（１３）とケーブル・ワイヤ厚さ（１４１、１４２、１４３、１４４）に割り当てられ、少なくともクロストーク・パラメータ、干渉源の数に応じて、ノイズ・レベル（４０）が計算ユニット（３０）によって該電力スペクトルに基づいて判定されること、
ガウス変換モジュール（３１）によって計算ユニット（３０）が、様々なデータ伝送変調および／または変調符号化に関する第１のリストの実際の信号強度および対応する第２のリストのノイズ・レベルに基づいて所定のビット・レートについてデータ転送マージンを判定し、それらを記憶し、計算ユニット（３０）のデータ・キャリア上でネットワーク接続（１２）のそれぞれの物理的長さ（１３）とケーブル・ワイヤ厚さ（１４１、１４２、１４３、１４４）に割り当てること、
記憶されたデータ転送マージンに基づいて計算ユニット（３０）が少なくとも１つの補正因子を用いて実際のデータ転送マージンを判定し、それらを記憶し、計算ユニット（３０）のデータ・キャリア上でネットワーク接続（１２）のそれぞれの物理的長さ（１３）とケーブル・ワイヤ厚さ（１４１、１４２、１４３、１４４）に割り当て、該補正因子が、実際のデータ転送マージンに関する記憶されたデータ転送マージンの平均偏差および／または等化器調節の補正のための等化器要素を含むこと、および
記憶された実際のデータ転送マージンに基づき、送信器（１０）と受信器（１１）の間の判定対象のネットワーク接続（１２）の判っている物理的長さ（１３）を参照して計算ユニット（３０）がそれぞれのネットワーク接続（１２）についてデータ転送マージンを判定することを特徴とする方法。
【請求項２】
該補正因子が、物理的長さ（１３）および／またはケーブル／ワイヤ厚さ（１４１、１４２、１４３、１４４）に関して非線形の依存性を反映することを特徴とする、請求項１に記載の方法。
【請求項３】
該電力スペクトルが、ＡＤＳＬおよび／またはＳＤＳＬおよび／またはＨＤＳＬおよび／またはおよび／またはＶＤＳＬモデム・タイプ（１０１、１０２、１０３、１０４）に関する伝送周波数に応じて測定されることを特徴とする、請求項１または２のいずれか１項に記載の方法。
【請求項４】
あり得るＳＤＳＬモデム・タイプ（１０１、１０２、１０３、１０４）が少なくとも１つのＧ．９９１．２モデム・タイプを含み、かつ／またはＡＤＳＬモデム・タイプ（１０１、１０２、１０３、１０４）が少なくとも１つのＧ．９９２．２モデム・タイプを含むことを特徴とする、請求項３に記載の方法。
【請求項５】
ガウス変換モジュール（３１）によって、データ転送マージンが少なくともデータ伝送変調２Ｂ１Ｑおよび／またはＣＡＰおよび／またはＤＭＴおよび／またはＰＡＭについて算出されることを特徴とする、請求項１乃至４のいずれか１項に記載の方法。
【請求項６】
ガウス変換モジュール（３１）によって、データ転送マージンが少なくともトレリス変調符号化について判定されることを特徴とする、請求項１乃至５のいずれか１項に記載の方法。
【請求項７】
コンピュータ・プログラム製品であって、デジタル・コンピュータの内部メモリ内に直接ロードされることが可能であり、かつ製品がコンピュータ上で実行されると請求項１乃至６のいずれか１項に記載の工程が実行可能となるソフトウェア符号部分を含む製品。
【請求項８】
ネットワーク接続のためのビット・レートを判定するための方法であって、送信器（１０）と受信器（１１）の間のネットワーク接続（１２）の物理的距離（１３）が判っており、
あり得るモデムのタイプ（１０１、１０２、１０３、１０４）に関する転送周波数に応じて電力測定装置（２０）によって電力スペクトルが測定され、計算ユニット（３０）のデータ・キャリア上に伝送されること、
計算ユニット（３０）でもってネットワーク接続の様々な物理的長さ（１３）およびケーブル・ワイヤの厚さ（１４１、１４２、１４３、１４４）について減衰度が判定され、該減衰度ならびに該電力スペクトルに基づいて受信器での実際の信号強度が、計算ユニット（３０）のデータ・キャリア上の第１のリスト内で記憶され、それぞれの物理的長さ（１３）とケーブル・ワイヤ厚さ（１４１、１４２、１４３、１４４）に割り当てられること、
第２のリスト内でノイズ・レベル（４０）が記憶され、計算ユニットのデータ・キャリア上でネットワーク接続（１２）のそれぞれの物理的長さ（１３）とケーブル・ワイヤ厚さ（１４１、１４２、１４３、１４４）に割り当てられ、少なくともクロストーク・パラメータ、干渉源の数に応じて、ノイズ・レベル（４０）が計算ユニット（３０）によって該電力スペクトルに基づいて判定されること、
ガウス変換モジュール（３１）によって計算ユニット（３０）が、様々なデータ伝送変調および／または変調符号化に関する第１のリストの実際の信号強度および対応する第２のリストのノイズ・レベルに基づいて所定のデータ転送マージンについてビット・レートを判定し、それらビット・レートを記憶し、計算ユニット（３０）のデータ・キャリア上でネットワーク接続（１２）のそれぞれの物理的長さ（１３）とケーブル・ワイヤ厚さ（１４１、１４２、１４３、１４４）に割り当てること、
記憶されたビット・レートに基づいて計算ユニット（３０）が補正因子を用いて実際のビット・レートを判定し、それら実際のビット・レートを記憶し、計算ユニット（３０）のデータ・キャリア上でネットワーク接続（１２）のそれぞれの物理的長さ（１３）とケーブル・ワイヤ厚さ（１４１、１４２、１４３、１４４）に割り当て、該補正因子が、実際のビット・レートに関する記憶されたビット・レートの平均偏差および／または等化器調節の補正のための等化器要素を含むこと、および
記憶された実際のビット・レートに基づき、送信器（１０）と受信器（１１）の間の判定対象のネットワーク接続（１２）の判っている物理的長さ（１３）を参照して計算ユニット（３０）がそれぞれのネットワーク接続（１２）についてビット・レートを判定することを特徴とする方法。
【請求項９】
ガウス変換モジュール（３１）によって、３と９ｄＢの間のデータ転送マージンについてビット・レートが判定されることを特徴とする、請求項８に記載の方法。
【請求項１０】
ガウス変換モジュール（３１）によって、６ｄＢのデータ転送マージンについてビット・レートが判定されることを特徴とする、請求項８に記載の方法。
【請求項１１】
該補正因子が物理的長さ（１３）および／またはケーブル・ワイヤ厚さ（１４１、１４２、１４３、１４４）に関して非線形の依存性を反映することを特徴とする、請求項８乃至１０のいずれか１項に記載の方法。
【請求項１２】
該電力スペクトルが、ＡＤＳＬおよび／またはＳＤＳＬおよび／またはＨＤＳＬおよび／またはＶＤＳＬモデム・タイプ（１０１、１０２、１０３、１０４）に関する伝送周波数に応じて測定されることを特徴とする、請求項８乃至１１のいずれか１項に記載の方法。
【請求項１３】
あり得るＳＤＳＬモデム・タイプ（１０１、１０２、１０３、１０４）が少なくとも１つのＧ．９９１．２モデム・タイプを含み、かつ／またはＡＤＳＬモデム・タイプ（１０１、１０２、１０３、１０４）が少なくとも１つのＧ．９９２．２モデム・タイプを含むことを特徴とする、請求項１２に記載の方法。
【請求項１４】
ガウス変換モジュール（３１）によって、ビット・レートが少なくともデータ伝送変調２Ｂ１Ｑおよび／またはＣＡＰおよび／またはＤＭＴおよび／またはＰＡＭについて算出されることを特徴とする、請求項８乃至１３のいずれか１項に記載の方法。
【請求項１５】
ガウス変換モジュール（３１）によって、ビット・レートが少なくともトレリス変調符号化について判定されることを特徴とする、請求項８乃至１４のいずれか１項に記載の方法。
【請求項１６】
コンピュータ・プログラム製品であって、デジタル・コンピュータの内部メモリ内に直接ロードされることが可能であり、かつ製品がコンピュータ上で実行されると請求項８乃至１５のいずれか１項に記載の工程が実行可能となるソフトウェア符号部分を含む製品。
【請求項１７】
ネットワーク接続のためのデータ転送マージンを判定するためのシステムであって、送信器（１０）と受信器（１１）の間の判定対象のネットワーク接続（１２）の物理的距離（１３）が判っており、
本システムが、あり得るモデム・タイプ（１０１、１０２、１０３、１０４）に関する伝送周波数に応じて電力スペクトルを測定するための測定装置（２０）、ならびに電力スペクトルを記憶させることが可能な計算ユニット（３０）のデータ・キャリアを含むこと、
計算ユニットがネットワーク接続（１２）の様々な物理的長さ（１３）およびケーブル・ワイヤの厚さ（１４１、１４２、１４３、１４４）について減衰度を判定するための手段を含み、該減衰度ならびに該電力スペクトルに基づいて受信器（１１）での実際の信号強度が、計算ユニット（３０）のデータ・キャリア上の第１のリスト内で記憶され、それぞれの物理的長さ（１３）およびケーブル・ワイヤの厚さ（１４１、１４２、１４３、１４４）に割り当てられること、
少なくともクロストーク・パラメータ、干渉源の数に応じて、該電力スペクトルに基づいてノイズ・レベル（４０）を判定するための手段を計算ユニット（３０）が含み、ノイズ・レベル（４０）が記憶され、計算ユニット（３０）のデータ・キャリア上の第２のリスト内でネットワーク接続（１２）のそれぞれの物理的長さ（１３）およびケーブル・ワイヤの厚さ（１４１、１４２、１４３、１４４）に割り当てられること、
計算ユニット（３０）が、様々な伝送変調および／または変調符号化に関する第１のリスト実際の信号強度および対応する第２のリストのノイズ・レベルに基づいて所定のビット・レートについてデータ転送マージンを判定するためのガウス変換モジュール（３１）を含み、データ転送マージンが、計算ユニット（３０）のデータ・キャリア上で記憶され、それぞれの物理的長さ（１３）およびネットワーク接続（１２）のケーブル・ワイヤの厚さ（１４１、１４２、１４３、１４４）に割り当てられること、
計算ユニット（３０）が補正用モジュールを含み、それが、記憶されたデータ転送マージンに基づき、少なくとも１つの補正因子を用いて実際の転送マージンを判定し、それらを記憶し、計算ユニット（３０）のデータ・キャリア上でネットワーク接続（１２）のそれぞれの物理的長さ（１３）とケーブル・ワイヤの厚さ（１４１、１４２、１４３、１４４）に割り当て、該補正因子が実際のデータ転送マージンに関する記憶されたデータ転送マージンの平均偏差および／または等化器調節の補正のための等化器要素を含むことを特徴とするシステム。